(57)【要約】【課題】  種々の機種の電気掃除機の集塵部へ装着する際の高さ調節が容易で、取り扱い性に優れた電気掃除機用集塵袋を提供すること。【解決手段】  口紙２０の導入口２１の上下には、上側切取片２２と下側切取片２３とが設けられ、導入口２１は、中心位置が上下に異なる上側円と下側円とが重なる位置に開口し、上側切取片２２は、上側円から導入口２１を除いた残余の部分からなり、下側切取片２３は、下側円から導入口２１を除いた残余の部分からなり、口紙２０の左右側には、左切取片２４と右切取片２５とが設けられ、口紙２０の上側には、第一頂部切取片２６、第二頂部切取片２７、第三頂部切取片２８が設けられ、口紙２０の下側には、切り取って口紙の上下高さを調整するための切取片が設けられていない、袋本体と口紙２０とからなる電気掃除機用集塵袋。【選択図】        図２
2006101974.tif 000002
【特許請求の範囲】
【請求項１】
開口部を有する袋本体と導入口を有する口紙とを、該開口部と導入口とが連通するように接着してなる電気掃除機用集塵袋であって、
前記導入口の上下には、切り取って導入口を広げるための三日月状の上側切取片と下側切取片とが設けられ、
前記導入口は、中心位置が上下に異なる上側円と下側円とが重なる位置に開口し、
前記上側切取片は、前記上側円から前記導入口を除いた残余の部分からなり、
前記下側切取片は、前記下側円から前記導入口を除いた残余の部分からなり、
前記口紙の上側には、切り取って口紙の上下高さを調整するための頂部切取片が設けられ、
前記口紙の下側には、切り取って口紙の上下高さを調整するための切取片が設けられていないことを特徴とする電気掃除機用集塵袋。
【請求項２】
前記口紙の左右側には、切り取って口紙の左右幅を調整するための左切取片と右切取片とが設けられている請求項１に記載の電気掃除機用集塵袋。
【発明の詳細な説明】
【技術分野】
【０００１】
本発明は、電気掃除機用集塵袋に関する。さらに詳しくは、本発明は、種々の機種の電気掃除機の集塵部に対して容易に装着可能な電気掃除機用集塵袋に関する。
【背景技術】
【０００２】
電気掃除機用集塵袋としては、開口部を有する袋本体と導入口を有する口紙とを、これら導入口と開口部とを略同一の位置になるように接着してなるものが一般的である。
電気掃除機用集塵袋は、電気掃除機の集塵部に装着して使用されるが、集塵部の形状が統一されていないので、メーカーや機種毎に異なったタイプの集塵袋が使用されている。そして、従来より、電気掃除機用集塵袋の口紙の形状を工夫することにより、種々の機種の電気掃除機の集塵部に適合可能とした共用型の電気掃除機用集塵袋が提案されている。
例えば、特許文献１及び特許文献２には、口紙に、高さ調節のためのミシン目、及び、取付孔又は取付孔を形成するためのミシン目等が形成された電気掃除機用集塵袋が記載されている。
また、特許文献３には、高さ調節、幅調節のための切取片を口紙の上下左右の４辺に設けることにより、常に口紙の下端側を挿入先端として挿入できる電気掃除機用集塵袋が記載されている。
【特許文献１】特開平７−２６５２３４号公報
【特許文献２】実公平６−２５２５１号公報
【特許文献３】特許第３４５１２５４号公報
【発明の開示】
【発明が解決しようとする課題】
【０００３】
特許文献１や特許文献２の集塵袋では、口紙のどの部分を挿入先端として挿入すべきかが、装着する電気掃除機によって異なっていた。そのため、使用者は、どこを挿入先端とすべきかについてその都度確認しなければならず、取り扱いが煩雑であった。
これに対して、特許文献３の電気掃除機用集塵袋は、常に一定の方向で電気掃除機に装着できるので、特許文献１又は特許文献２の電気掃除機用集塵袋と比較すると、遙かに取り扱い性が優れたものとなっている。しかし、この場合も以下のような問題があった。
第１に、口紙の下辺側の切取片は、掃除機の集塵室下部の凹凸に併せて複雑な形状となっていた。そのため、複雑な凹凸状のミシン目で切り取らなければならず、切り取りにくかった。
また、上下左右の４辺に設けられた切取片のどこを切り止るべきかについては、必ず説明書きを見て確認しなければわからず、その点も煩雑であった。特に、上下に設けられた切取片は数が多い場合が多く、切り取り位置の理解が容易でなかった。
【０００４】
本発明は、上記問題点に鑑みてなされたもので、種々の機種の電気掃除機の集塵部へ装着する際の高さ調節が容易で、取り扱い性に優れた電気掃除機用集塵袋を提供することを課題とする。
【課題を解決するための手段】
【０００５】
上記課題を解決するため、本件発明の電気掃除機用集塵袋は、開口部を有する袋本体と導入口を有する口紙とを、該開口部と導入口とが連通するように接着してなる電気掃除機用集塵袋であって、前記導入口の上下には、切り取って導入口を広げるための三日月状の上側切取片と下側切取片とが設けられ、前記導入口は、中心位置が上下に異なる上側円と下側円とが重なる位置に開口し、前記上側切取片は、前記上側円から前記導入口を除いた残余の部分からなり、前記下側切取片は、前記下側円から前記導入口を除いた残余の部分からなり、前記口紙の上側には、切り取って口紙の上下高さを調整するための頂部切取片が設けられ、前記口紙の下側には、切り取って口紙の上下高さを調整するための切取片が設けられていないことを特徴とする。
本発明において、前記口紙の左右側には、切り取って口紙の左右幅を調整するための左切取片と右切取片とが設けられていることが好ましい。
なお、本発明における上下左右は掃除機に装着する際に口紙を表側から見た場合の位置関係であり、下側は挿入先端側、上側は挿入後端側にあたる。
【発明の効果】
【０００６】
本発明では、導入口の上下に設けた切取片によって、導入口の高さ位置（下辺からの距離）を調節できるようにし、これにより、口紙の下側の切取片を不用とした。そのため、本発明によれば、複雑な凹凸状の形状を、切取片を切り取って形成する必要がない。
また、本発明によれば、とりあえず集塵室の下部まで口紙を挿入できるので、その段階で口紙の集塵室内における位置を確認して、上部の取り去るべき切取片が何れであるかを容易に理解することができる。そのため、上部切取片のどこを切り止るべきかについて、予め説明書きを見て確認しておくことを要さない。
さらに、口紙の左右側に切り取って口紙の左右幅を調整するための左切取片と右切取片とが設けられていれば、左右の幅の異なる集塵室にも対応できる。
従って、本発明の電気掃除機用集塵袋は、非常に取り扱い性に優れている。
【発明を実施するための最良の形態】
【０００７】
以下、本発明の実施形態を図面を参照して説明するが、本発明は以下の実施形態に限定されるものではない。
図１は、本発明の第１実施形態に係る電気掃除機用集塵袋の一例であり、開口部１１を有する袋本体１０と、導入口２１を有する口紙２０とが、開口部１１と導入口２１とが連通するように接着されている。
図１において、矢印Ｄは、電気掃除機の集塵室に挿入する際の挿入方向である。
【０００８】
図２に示すように、口紙２０の導入口２１の上下には、切取線２２ａによって切り取られる三日月状の上側切取片２２と、切取線２３ａによって切り取られる三日月状の下側切取片２３とが設けられている。そして、切取線２２ａ又は切取線２３ａを切り取ることにより導入口を上側又は下側に広げられるようになっている。
導入口２１と上側切取片２２とを合わせた領域は円形の上側円となっている。また、導入口２１と下側切取片２３とを合わせた領域も円形の下側円となっている。上側円と下側円とは、その中心が上下にずれている。
すなわち、導入口２１は、上側円と下側円とが重なる位置に開口している。また、上側切取片２２は、前記上側円から導入口２１を除いた残余の部分からなり、下側切取片２３は、前記下側円から導入口２１を除いた残余の部分からなっている。
なお、上側円と下側円の直径は同一であっても異なっていてもよい。また、上側円と下側円は、各々真円であることが好ましいが、楕円状であってもよい。
【０００９】
口紙２０の左側には、切取線２４ａによって切り取られる左切取片２４が設けられている。同様に、口紙２０の右側には、切取線２５ａによって切り取られる右切取片２５が設けられている。左切取片２４の外縁２４ｂは、口紙２０の左基準線Ｌから左側に膨出している。また、右切取片２５の外縁２５ｂは、口紙２０の右基準線Ｒから右側に膨出している。
そして、切取線２４ａ及び切取線２５ａを切り取ることにより、口紙２０の左右幅を、左基準線Ｌと右基準線Ｒとの間の幅まで狭められるようになっている。
本実施形態では、左切取片２４と右切取片２５の外縁は、各々同じ幅だけ口紙２０の左基準線Ｌと右基準線Ｒの左右に膨出している。したがって、左切取片２４と右切取片２５を取り除くことによって、左右均等に、左基準線Ｌと右基準線Ｒとの間の幅まで狭められるようになっている。
また、切取線２４ａ及び切取線２５ａは、各々左基準線Ｌと右基準線Ｒの内側に形成されている。したがって、切取線２４ａを左基準線Ｌ上に、切取線２５ａを右基準線Ｒ上に、各々直線状に形成した場合よりも、左切取片２４と右切取片２５が幅広とされ、これらを取り除く際のつまみ代が確保されており、手で容易に切り取りできるようになっている。
【００１０】
口紙２０の上には、切取線２６ａによって切り取られる第一頂部切取片２６、切取線２７ａ、２７ｂ、２７ｃによって切り取られる第二頂部切取片２７、及び切取線２８ａによって切り取られる第三頂部切取片２８が設けられている。そして、これら頂部切り取り片を順次切り取ることにより、口紙２０の高さを順次低くできるようになっている。
切取線２７ｃは切取線２８ａと同一直線上（同一高さ）に配置されている。また、切取線２７ｂは、切取線２７ａと切取線２７ｃとをつなぐように斜めに形成されている。これにより、第二頂部切取片２７の左側には幅広のつまみ部２７ｄが設けられ、切取片２７を手で容易に切り取りできるようになっている。
なお、つまみ部２７ｄは、第二頂部切取片２７の右側に設けられていてもよい。また、切取線２７ｃは切取線２８ａと同一直線上でなくても、幅広のつまみ部２７ｄを形成できるようになっていればよい。
【００１１】
また、口紙２０の左側には、切取線３１ａによって切り取られる小片３１が設けられている。左切取片２４と小片３１とを取り去ることにより、口紙の左側に凹部３１ｄを形成できるようになっている。なお、小片３１は左切取片２４の切取線２４ａを中断するように左側に突出し、その左端３１ｂは左基準線Ｌ上に設けられている。
また、口紙２０の第三頂部切取片２８における左基準線Ｌと右基準線Ｒの中央位置には、取付孔３２が設けられている。取付孔３２は、電気掃除機の集塵室に設けられたピンを挿入するための孔である。
また、口紙２０の第三頂部切取片２８における取付孔３２の周囲には、切取線３３ａによって切り取られる小片３３が設けられている。第二頂部切取片２７と小片３３とを取り去ることにより、口紙の上側に凹部３３ｄを形成できるようになっている。なお、小片３３の下端は切取線２８ａと同一直線上（同一高さ）に配置されている。
また、口紙２０の下側には、切取線３４ａ、３５ａによって切り取られる小片３４、３５が設けられている。小片３４、３５を取り去ることにより、口紙の下側に一対の凹部３４ｄ、３５ｄを形成できるようになっている。
また、口紙２０の下側略中央には、凹部３６が予め形成されている。
【００１２】
口紙２０の材料としては、電気掃除機の集塵部に取付可能とするために、ある程度の強度を有する素材が用いられる。例えば、パルプ、天然または合成繊維、天然または合成樹脂、ゴム、金属などの材料を、紙、フィルム、織布、不織布、シートまたはプレートなどの素材に加工し、これら素材を単独または積層したものが用いられる。
【００１３】
袋本体１０は、集塵された塵埃を収集し、さらにたとえばダニなどの害虫をも捕獲することができるものである。
本実施態様において、袋本体１０の平面形状は矩形状であり、そのサイズは、およそ１１０〜１２０ｍｍ×２２０〜２５０ｍｍ、例えば１１５ｍｍ×２３８ｍｍである。
袋本体１０の長辺方向の両端部には、図１に示すように、両端部を封止するための折り曲げ部１５ａ、１５ｂが形成されている。
【００１４】
また、図３に示すように、袋本体１０の開口部１１の外周には、環状の切取線１２ａと、この切取線１２ａと開口部１１との間を放射状につなぐ複数の切取線１２ｂとによって切り取られる、複数の切取片１２が設けられている。そして、これら切取片１２を切り取ることにより、開口部の大きさと形状を変更できるようになっている。
開口部１１は、口紙２０の導入口２１と下側切取片２３とからなる下側円と、ほぼ同心円とされている。また、切取線１２ａは、口紙２０の切取線２２ａ、２３ａとほぼ重なる位置とされている。
【００１５】
図４は、図１に示す電気掃除機用集塵袋のＡ−Ａの位置における断面図である。図４に示すように、袋本体１０には、袋本体１０の長辺方向に沿って、蛇腹部１７ａ、１７ｂが形成されている。
また、袋本体１０は、図１、図５に示すように、位置１９ａと位置１９ｂとで、口紙２０側を外側として、折り曲げることができるようになっており、この折り曲げられた状態で外袋に収納され、販売に供されるようになっている。また、この状態で集塵室内に挿入されるようになっている。
ここで、位置１９ａは、口紙２０の凹部３６とほぼ同位置とされている。また、位置１９ｂは、口紙２０の切取線２８ａとほぼ同位置とされている。すなわち、折り曲げた状態では、口紙２０の総ての切取片を切り取っても袋本体１０が口紙２０からはみ出さないようにされている。これにより、集塵室内の口紙２０の留め具等が、挿入時に袋本体１０をかみこまないようにされている。
袋本体１０は、集塵室内においてゴミを吸引した後は、図６に示すように充分に膨らむようになっている。
【００１６】
袋本体１０の素材としてはたとえばパルプ、天然または合成繊維、天然または合成樹脂、ゴム、金属などの材料を紙、フィルム、織布、不織布、シート、プレート、ピースまたは棒状体などの素材に加工した濾材を単独または積層したものが用いられる。
袋本体１０は、１枚の袋体で形成されていてもよく、また２枚以上の複数の層を有する袋体で形成されていてもよい。
２枚以上の複数の層を有する袋体である場合、集塵袋本体の内側にある袋体（以下、内袋という）に大きな塵埃を除去しうる孔を有する袋体を用い、集塵袋本体の外側にある袋体（以下、外袋という）に微細な塵埃を除去しうる孔を有する袋体であるのが、集塵袋本体の目詰まりを防ぐうえで好ましい。
また、袋本体１０には、捕獲された害虫を防除するための活性物質を固定化してもよく、また袋本体１０内に前記活性物質を固定化したマットまたはシートを設けてもよい。
【００１７】
本実施形態の電気掃除機用集塵袋を電気掃除機の集塵室に挿入する際は、予め説明書き等を参照して、各電気掃除機の集塵室の形状、大きさに合うよう、上側切取片２２、下側切取片２３、左切取片２４、右切取片２５、第一頂部切取片２６、第二頂部切取片２７、第三頂部切取片２８を適宜切り取る。また、必要に応じて、小片３１、３３、３４、３５を切り取って挿入する。
また、説明書き等を参照することを煩わしいと感じる場合には、例えば、以下のような手順で挿入できる。
【００１８】
まず、集塵室内部の袋本体１０内にまでホースノズルが挿入されるタイプの掃除機の場合を除き、袋本体１０の切取片１２を総て切り取り、取り除いておく。
そして、袋本体１０を図５に示すように折り畳んだままの状態で、口紙２０を、とりあえずどの切取片も切り取らずに集塵室に挿入してみる。このとき、口紙２０の左右が支えて挿入できないようであれば、左切取片２４及び右切取片２５を切り取る。また、集塵室の下部と左端を見て小片３１又は小片３４、３５に対応する凸部がある場合には、小片３１又は小片３４、３５も切り取る。
次に、口紙２０の下端が集塵室下部に達したとき、導入口の位置が集塵室の開口部の位置と合うように、上側切取片２２又は下側切取片２３の何れかを切り取る。図７は、下側切取片２３を切り取った図である。
次に集塵室上部の形状に合わせて、第一頂部切取片２６、第二頂部切取片２７、第三頂部切取片２８、小片３３を適宜切り取れば、その電気掃除機の集塵室にあった口紙の形状となる。
本実施形態では、とりあえず集塵室の下部まで口紙２０を挿入できるので、その段階で口紙２０の集塵室内における位置を確認して、上部の取り去るべき切取片が何れであるかを容易に理解することができる。したがって、説明書き等を必ずしも参照せずとも、集塵室への装着が可能である。
【００１９】
以下、本発明に係る電気掃除機用集塵袋の第２〜第４実施形態を説明する。第２〜第４実施形態の電気掃除機用集塵袋は、第１実施形態の電気掃除機用集塵袋と口紙２０の形状のみが異なるので、図８〜図１０に基づいて、各々の口紙２０の形状を説明する。尚、図８〜図１０において、第１実施形態に対応する構成要素には、同一の符号を付してその詳細な説明を省略する。
【００２０】
図８は、本発明の電気掃除機用集塵袋の第２実施形態である。本実施形態は、左切取片２４の上下長さが異なる他は、第１実施形態と同じである。
図９は、本発明の電気掃除機用集塵袋の第３実施形態である。本実施形態は、小片３１、３４、３５が予め取り去られ、各々凹部３１ｄ、３４ｄ、３５ｄが設けられている他は、第２実施形態と同じである。
図１０は、本発明の電気掃除機用集塵袋の第４実施形態である。本実施形態は、左切取片２４、右切取片２５の形状が異なる他は、第１実施形態と同じである。本実施形態では、左切取片２４の切取線２４ａが、小片３１に中断されないように、小片３１のやや上方から左基準線Ｌ上に沿って設けられている。また、右切取片２５の切取線２５ａの下部も、切取線２４ａと左右対称となるように、右基準線Ｒ上に沿って設けられている。
【００２１】
上記各実施形態において、左切取片２４と右切取片２５は各々１つずつとし、左右の幅を２段階に調整できるものとしたが、この２段階以外の幅に調整することが必要とされる場合には、各々２ずつ以上設け、左右の幅を３段階以上の範囲で調整できるようにしてもよい。
また、上記各実施形態において、頂部切取片を３つ設け、これにより高さを４段階に調整できるものとしたが、この４段階以外の高さに調整することが必要とされる場合には、５つ以上の頂部切取片を設け、高さを５段階以上の範囲で調整できるようにしてもよい。逆に、３段階以下の高さに調整すれば足りる場合には、２つ以下の頂部切取片を設け、高さを３段階以下の範囲で調整できるようにしてもよい。
また、凹部や切り取って凹部を形成するための小片は、左右の幅や上下高さに影響を及ぼさない範囲で、口紙の周囲に適宜追加的に設けても良い。反対に、また、各実施形態における凹部や小片は適宜廃止してもよい。また、取付孔３２も必須ではない。
また、袋本体の具体的な形状にも特に限定はない。例えば、開口部１１や切取片１２の位置や形状は適宜変更できる。また、切取片１２は、始めから切り取られた状態であってもよい。
【図面の簡単な説明】
【００２２】
【図１】本発明の第１実施形態に係る電気掃除機用集塵袋の斜視図である。
【図２】本発明の第１実施形態に係る電気掃除機用集塵袋の口紙の平面図である。
【図３】本発明の第１実施形態に係る電気掃除機用集塵袋の袋本体の平面図である。
【図４】図１のＡ−Ａ線における断面図である。
【図５】本発明の第１実施形態に係る電気掃除機用集塵袋を折り畳んだ状態の斜視図である。
【図６】本発明の第１実施形態に係る電気掃除機用集塵袋が膨らんだ状態の斜視図である。
【図７】本発明の第１実施形態に係る電気掃除機用集塵袋において、口紙の導入口下側の下側切取片を切り取った状態を示す説明図である。
【図８】本発明の第２実施形態に係る電気掃除機用集塵袋の口紙の平面図である。
【図９】本発明の第３実施形態に係る電気掃除機用集塵袋の口紙の平面図である。
【図１０】本発明の第４実施形態に係る電気掃除機用集塵袋の口紙の平面図である。
【符号の説明】
【００２３】
１０…袋本体、１１…開口部、２０…口紙、２１…導入口、
２２…上側切取片、２３…下側切取片、２４…左切取片、２５…右切取片、
２６…第一頂部切取片、２７…第二頂部切取片、２８…第三頂部切取片、
【図１】
2006101974.tif 000003
【図２】
2006101974.tif 000004
【図３】
2006101974.tif 000005
【図４】
2006101974.tif 000006
【図５】
2006101974.tif 000007
【図６】
2006101974.tif 000008
【図７】
2006101974.tif 000009
【図８】
2006101974.tif 000010
【図９】
2006101974.tif 000011
【図１０】
2006101974.tif 000012